(57)【要約】【課題】  屋上においても良好にコケが栽培できる屋上緑化装置を提供する。【解決手段】  コケ５を用いて屋上を緑化するための屋上２の緑化装置３において、前記コケ５を好日性のマゴケ亜綱シッポゴケ目シッポゴケ科のフデゴケにより形成することで、太陽下にも育つほど乾燥、日照りに強い性質を有するので、水管理や直射日光の管理をほとんど行わなくとも枯れてしまうことがなくコケ５による屋上面４の断熱作用などを図ることができ、また屋上面４を絨毯のような美観を有するようにあらわすことができる。【選択図】図２
0003108677.tif 000002
【実用新案登録請求の範囲】
【請求項１】
コケを用いて屋上を緑化するための屋上緑化装置において、前記コケを好日性のコケにより形成することを特徴とする屋上緑化装置。
【請求項２】
前記コケをマゴケ亜綱シッポゴケ目シッポゴケ科のフデゴケとすることを特徴とする請求項１記載の屋上緑化装置。
【請求項３】
前記コケを箱状の収容体に収容すると共に、該収容体を前記屋上に配置することを特徴とする請求項１又は２記載の屋上緑化装置。
【請求項４】
前記コケは黒土を含む土壌に植えられていることを特徴とする請求項１〜３のいずれか１項に記載の屋上緑化装置。
【請求項５】
前記屋上は外気に開放されていることを特徴とする請求項１〜４のいずれか１項に記載の屋上緑化装置。
【考案の詳細な説明】
【技術分野】
【０００１】
本考案は、屋上緑化装置に関するものである。
【背景技術】
【０００２】
近年、舗装道路やコンクリート建物の増加や車、工場或いはエアコンなどの人工排熱が原因のヒートアイランド現象緩和のために、屋上緑化が行なわれている。
【０００３】
建物の屋上にコケ（苔）を配置するものとして同一出願人による緑化装置が知られている。この緑化装置は、底部に多数の凹部を設けた浅箱状の収納体内に、通水性を有する敷板を前記多数の凹部に対して架設状態となるように配設し、この敷板上に土壌を収納してこの土壌にコケを全面的に生育し得るようにし、前記多数の凹部に水を貯め、この多数の凹部内の水により、前記コケを灌水装置を用いることなく生育し、このコケを生育した収納体を屋上に並設載置することで屋上を緑化するものである（特許文献１）。
【０００４】
ところで、コケについて、コケ群落をカモジゴケ、フデゴケ、スナゴケ、ハイゴケの少なくとも１種からなる蘚類群落としてなるコケ群落シートを形成し、このコケ群落シートを岩盤表面上に張り付けるコケ群落シートが知られている（特許文献２）。
【特許文献１】特開２００４−２４８６３１号公報
【特許文献２】特開平６−１７３２６７号公報
【考案の開示】
【考案が解決しようとする課題】
【０００５】
前記カモジゴケ、フデゴケ、スナゴケ、ハイゴケは絨毯のように表面をはうように育ち美観を有するものであるが、そのうちカモジゴケ、スナゴケ、ハイゴケはいずれも、好日性及び半日陰性であるので、屋上緑化に使用した場合太陽光線が直接コケに当ってしまうので、コケの生育を良好に行なうことはできない。
【０００６】
解決しようとする問題点は、屋上においても良好にコケが栽培できる屋上緑化装置を提供する点である。
【課題を解決するための手段】
【０００７】
請求項１の考案は、コケを用いて屋上を緑化するための屋上緑化装置において、前記コケを好日性のコケにより形成することを特徴とする屋上緑化装置である。
【０００８】
請求項２の考案は、前記コケをマゴケ亜綱シッポゴケ目シッポゴケ科のフデゴケとすることを特徴とする請求項１記載の屋上緑化装置である。
【０００９】
請求項３の考案は、前記コケを箱状の収容体に収容すると共に、該収容体を前記屋上に配置することを特徴とする請求項１又は２記載の屋上緑化装置である。
【００１０】
請求項４の考案は、前記コケは黒土を含む土壌に植えられていることを特徴とする請求項１〜３のいずれか１項に記載の屋上緑化装置である。
【００１１】
請求項５の考案は、前記屋上は外気に開放されていることを特徴とする請求項１〜４のいずれか１項に記載の屋上緑化装置である。
【考案の効果】
【００１２】
請求項１の考案によれば、コケは好日性なので、水管理や直射日光の管理をほとんど行わなくとも枯れてしまうことがなく屋上面の断熱作用などを図ることができる。
【００１３】
請求項２の考案によれば、屋上面を絨毯のような美観を有するようにあらわすことができる。
【００１４】
請求項３の考案によれば、予めコケを植えた収容体を屋上に配置するだけで、屋上緑化を行なうことができる。
【００１５】
請求項４の考案によれば、菌の原糸体が良好に成長することができる。
【００１６】
請求項５の考案によれば、太陽光線の遮蔽手段や雨雪対策を施さなくとも済み、設置を簡単に行なうことができる。
【考案を実施するための最良の形態】
【００１７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１８】
図１〜図４はビル１の屋上２の緑化装置３を示しており、屋上面４上にコケ５の収容体６を並設している。収容体６は、上面を開口した浅箱状の本体７の底部に凹部８を多数形成し、この多数の凹部８に対して架設状態となるように通水性を有する敷板９を配設し、この敷板９上に、後述するコケ５を生育させるための床を形成する土壌10を収納し得るようにしている。この土壌10には黒土、すなわち腐植質を含む黒色または黒褐色の肥沃な土を含むようにしている。そして多数の凹部８間にはオーバーフロー孔11を設けて余分な水分が供給されないようになっている。尚、コケ５は直射日光が照射されるように外気に開放されている。
【００１９】
前記コケ５は好日性のコケ（苔）によって形成される。この好日性のコケとしては、蘚類マゴケ亜綱シッポゴケ目シッポゴケ科ツリバリゴケ属に属するヤマトフデゴケを含むフデゴケ（フデ苔）を使用する。このフデゴケ５は、図４に示すように乾燥した岩等の上に茎12に葉13が生え、下部に仮根14を介して群落を作って、全国各地の山地に自生し、岩山や川原の明るい岩の上によく生育するものであって、その茎12、葉13は直立したとき長さは６〜７ｃｍ程度である。そして名称のとおり、茎13の上部に集中的に葉14が付き、筆のような形をしており、やや黒味を帯びた緑色で、葉14に光沢があり、美観に優れるものである。このフデゴケ５の仲間のなかで、フデゴケに含まれるヤマトフデゴケ（ヤマトフデゴケ）は柔軟な感じで明るい絨毯のような美観を有する。そしてこのフデゴケ５は園芸的には夏の焼けつく太陽下にも育つほど乾燥、日照りに強い性質を有する。
【００２０】
したがって、収容体６に収容されたフデゴケ５は風雨や直射日光にさらされるが、フデゴケ５は太陽下にも育つほど乾燥、日照りに強い性質を有するので、水管理や直射日光の管理をほとんど行わなくとも枯れてしまうことがなくコケ５による屋上面４の断熱作用などを図ることができる。
【００２１】
以上のように、前記実施例においては請求項１に対応してコケ５を用いて屋上を緑化するための屋上２の緑化装置３において、前記コケ５を好日性のコケにより形成することで、太陽下にも育つほど乾燥、日照りに強い性質を有するので、水管理や直射日光の管理をほとんど行わなくとも枯れてしまうことがなくコケ５による屋上面４の断熱作用などを図ることができる。
【００２２】
また、請求項２に対応して前記コケ５をマゴケ亜綱シッポゴケ目シッポゴケ科のフデゴケとすることにより、屋上面４を絨毯のような美観を有するようにあらわすことができる。
【００２３】
さらに、請求項３に対応して前記コケ５を箱状の収容体６に収容すると共に、該収容体６を前記屋上２に配置することで、予めコケ５を植えた収容体６を屋上２に配置するだけで、屋上緑化を行なうことができる。
【００２４】
また、前記コケ５は黒土を含む土壌10に植えられていることにより、菌の原糸体が良好に成長することができる。
【００２５】
しかも、屋上２は外気に開放されていることによって、太陽光線の遮蔽手段や雨雪対策を施さなくとも済み、コケ５による緑化装置３の設置を簡単に行なうことができる。
【産業上の利用可能性】
【００２６】
以上のように本考案にかかる緑化装置は種々の用途に適用できる。例えば、コケは土壌を介して直接屋上に設置してもよい。
【図面の簡単な説明】
【００２７】
【図１】本考案の実施例１を示す全体斜視図である。
【図２】本考案の実施例１を示すコケまわりの断面図である。
【図３】本考案の実施例１を示す収容体の平面図である。
【図４】本考案の実施例１を示すフデコケの概略正面図である。
【符号の説明】
【００２８】
２  屋上
３  緑化装置
５  コケ
【図１】
0003108677.tif 000003
【図２】
0003108677.tif 000004
【図３】
0003108677.tif 000005
【図４】
0003108677.tif 000006
【手続補正書】
【提出日】平成17年1月19日(2005.1.19)
【手続補正１】
【補正対象書類名】実用新案登録請求の範囲
【補正対象項目名】全文
【補正方法】変更
【補正の内容】
【実用新案登録請求の範囲】
【請求項１】
コケを用いて屋上を緑化するための屋上緑化装置において、好日性の前記コケを箱状の収容体に収容すると共に、該収容体を前記屋上に配置することを特徴とする屋上緑化装置。
【請求項２】
前記コケをマゴケ亜綱シッポゴケ目シッポゴケ科のフデゴケとすることを特徴とする請求項１記載の屋上緑化装置。
【請求項３】
前記コケは黒土を含む土壌に植えられていることを特徴とする請求項１又は２に記載の屋上緑化装置。
【請求項４】
前記屋上は外気に開放されていることを特徴とする請求項１〜３のいずれか１項に記載の屋上緑化装置。
【手続補正２】
【補正対象書類名】明細書
【補正対象項目名】全文
【補正方法】変更
【補正の内容】
【考案の詳細な説明】
【技術分野】
【０００１】
本考案は、屋上緑化装置に関するものである。
【背景技術】
【０００２】
近年、舗装道路やコンクリート建物の増加や車、工場或いはエアコンなどの人工排熱が原因のヒートアイランド現象緩和のために、屋上緑化が行なわれている。
【０００３】
建物の屋上にコケ（苔）を配置するものとして同一出願人による緑化装置が知られている。この緑化装置は、底部に多数の凹部を設けた浅箱状の収納体内に、通水性を有する敷板を前記多数の凹部に対して架設状態となるように配設し、この敷板上に土壌を収納してこの土壌にコケを全面的に生育し得るようにし、前記多数の凹部に水を貯め、この多数の凹部内の水により、前記コケを灌水装置を用いることなく生育し、このコケを生育した収納体を屋上に並設載置することで屋上を緑化するものである（特許文献１）。
【０００４】
ところで、コケについて、コケ群落をカモジゴケ、フデゴケ、スナゴケ、ハイゴケの少なくとも１種からなる蘚類群落としてなるコケ群落シートを形成し、このコケ群落シートを岩盤表面上に張り付けるコケ群落シートが知られている（特許文献２）。
【特許文献１】特開２００４−２４８６３１号公報
【特許文献２】特開平６−１７３２６７号公報
【考案の開示】
【考案が解決しようとする課題】
【０００５】
前記カモジゴケ、フデゴケ、スナゴケ、ハイゴケは絨毯のように表面をはうように育ち美観を有するものであるが、そのうちカモジゴケ、スナゴケ、ハイゴケはいずれも、好日性及び半日陰性であるので、屋上緑化に使用した場合太陽光線が直接コケに当ってしまうので、コケの生育を良好に行なうことはできない。
【０００６】
解決しようとする問題点は、屋上においても良好にコケが栽培できる屋上緑化装置を提供する点である。
【課題を解決するための手段】
【０００７】
請求項１の考案は、コケを用いて屋上を緑化するための屋上緑化装置において、好日性の前記コケを箱状の収容体に収容すると共に、該収容体を前記屋上に配置することを特徴とする屋上緑化装置である。
【０００８】
請求項２の考案は、前記コケをマゴケ亜綱シッポゴケ目シッポゴケ科のフデゴケとすることを特徴とする請求項１記載の屋上緑化装置である。
【０００９】
請求項３の考案は、前記コケは黒土を含む土壌に植えられていることを特徴とする請求項１又は２に記載の屋上緑化装置である。
【００１０】
請求項４の考案は、前記屋上は外気に開放されていることを特徴とする請求項１〜３のいずれか１項に記載の屋上緑化装置である。
【考案の効果】
【００１１】
請求項１の考案によれば、予めコケを植えた収容体を屋上に配置するだけで、屋上緑化を行なうことができ、コケは好日性なので、水管理や直射日光の管理をほとんど行わなくとも枯れてしまうことがなく屋上面の断熱作用などを図ることができる。
【００１２】
請求項２の考案によれば、屋上面を絨毯のような美観を有するようにあらわすことができる。
【００１３】
請求項３の考案によれば、菌の原糸体が良好に成長することができる。
【００１４】
請求項４の考案によれば、太陽光線の遮蔽手段や雨雪対策を施さなくとも済み、設置を簡単に行なうことができる。
【考案を実施するための最良の形態】
【００１５】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１６】
図１〜図４はビル１の屋上２の緑化装置３を示しており、屋上面４上にコケ５の収容体６を並設している。収容体６は、上面を開口した浅箱状の本体７の底部に凹部８を多数形成し、この多数の凹部８に対して架設状態となるように通水性を有する敷板９を配設し、この敷板９上に、後述するコケ５を生育させるための床を形成する土壌10を収納し得るようにしている。この土壌10には黒土、すなわち腐植質を含む黒色または黒褐色の肥沃な土を含むようにしている。そして多数の凹部８間にはオーバーフロー孔11を設けて余分な水分が供給されないようになっている。尚、コケ５は直射日光が照射されるように外気に開放されている。
【００１７】
前記コケ５は好日性のコケ（苔）によって形成される。この好日性のコケとしては、蘚類マゴケ亜綱シッポゴケ目シッポゴケ科ツリバリゴケ属に属するヤマトフデゴケを含むフデゴケ（フデ苔）を使用する。このフデゴケ５は、図４に示すように乾燥した岩等の上に茎12に葉13が生え、下部に仮根14を介して群落を作って、全国各地の山地に自生し、岩山や川原の明るい岩の上によく生育するものであって、その茎12、葉13は直立したとき長さは６〜７ｃｍ程度である。そして名称のとおり、茎13の上部に集中的に葉14が付き、筆のような形をしており、やや黒味を帯びた緑色で、葉14に光沢があり、美観に優れるものである。このフデゴケ５の仲間のなかで、フデゴケに含まれるヤマトフデゴケ（ヤマトフデゴケ）は柔軟な感じで明るい絨毯のような美観を有する。そしてこのフデゴケ５は園芸的には夏の焼けつく太陽下にも育つほど乾燥、日照りに強い性質を有する。
【００１８】
したがって、収容体６に収容されたフデゴケ５は風雨や直射日光にさらされるが、フデゴケ５は太陽下にも育つほど乾燥、日照りに強い性質を有するので、水管理や直射日光の管理をほとんど行わなくとも枯れてしまうことがなくコケ５による屋上面４の断熱作用などを図ることができる。
【００１９】
以上のように、前記実施例においては請求項１に対応してコケ５を用いて屋上を緑化するための屋上２の緑化装置３において、前記コケ５を箱状の収容体６に収容すると共に、該収容体６を前記屋上２に配置し、前記コケ５を好日性のコケにより形成することで、予めコケ５を植えた収容体６を屋上２に配置するだけで、屋上緑化を行なうことができ、太陽下にも育つほど乾燥、日照りに強い性質を有するので、水管理や直射日光の管理をほとんど行わなくとも枯れてしまうことがなくコケ５による屋上面４の断熱作用などを図ることができる。
【００２０】
また、請求項２に対応して前記コケ５をマゴケ亜綱シッポゴケ目シッポゴケ科のフデゴケとすることにより、屋上面４を絨毯のような美観を有するようにあらわすことができる。
【００２１】
また、請求項３に対応して前記コケ５は黒土を含む土壌10に植えられていることにより、菌の原糸体が良好に成長することができる。
【００２２】
しかも、請求項４に対応して屋上２は外気に開放されていることによって、太陽光線の遮蔽手段や雨雪対策を施さなくとも済み、コケ５による緑化装置３の設置を簡単に行なうことができる。
【産業上の利用可能性】
【００２３】
以上のように本考案にかかる緑化装置は種々の用途に適用できる。
【図面の簡単な説明】
【００２４】
【図１】本考案の実施例１を示す全体斜視図である。
【図２】本考案の実施例１を示すコケまわりの断面図である。
【図３】本考案の実施例１を示す収容体の平面図である。
【図４】本考案の実施例１を示すフデコケの概略正面図である。
【符号の説明】
【００２５】
２  屋上
３  緑化装置
５  コケ